(57)【特許請求の範囲】
【請求項１】
容器内の上部に、上下を仕切って配設され、蚊が通過しない網目の網と、
該網に載置され、水分と反応し二酸化炭素ガスを発生させるタブレットと水分がゲル化剤で凝固されたゼリーとを有し、これらタブレットとゼリーとが接触された状態となっている二酸化炭素ガス発生部と、
前記容器内の下部に、上下を仕切って配設され、蚊が通過しない網目の別の網と、
前記容器の側面に、前記網と前記別の網との間に位置して、前記容器の内外を連通して設けられた穴と、
前記容器内の内側面に、前記網と前記別の網との間に位置して、粘着面が内方に向けて取り付けられた粘着テープと、
前記容器内の下部に、前記別の網の下方に位置して配設された熱源と、を備えたことを特徴とする蚊の誘引捕獲装置。
【請求項２】
請求項１に記載された蚊の誘引捕獲装置を用いた蚊の誘引捕獲方法であって、
前記熱源により前記容器全体が暖められて前記容器の外面から放熱された熱、及び前記二酸化炭素ガス発生部にて発生して前記穴から前記容器の外部に放出された二酸化炭素ガスによって、前記容器の外部の蚊を誘引し、
その蚊を前記二酸化炭素ガスで誘引して前記穴を通って前記容器内に進入させ、
前記容器内に進入した蚊に前記熱源による上昇気流を付与し、
その上昇気流によって蚊を前記別の網ではなく前記容器内の内側面に取り付けられた前記粘着テープに止まらせるようにした、ことを特徴とする蚊の誘引捕獲方法。
【請求項３】
前記ゼリーの前記タブレットとの接触面に、前記ゼリーから前記タブレットへ滲み出る水分量を調節するための切れ込みが形成されている、ことを特徴とする請求項１に記載の蚊の誘引捕獲装置。
【請求項４】
前記ゼリーに載置される前記タブレットの形状が、側面視で山型に形成されており、前記タブレットの前記ゼリーとの反応面積が最初は大きく徐々に小さくなっていく、ことを特徴とする請求項１又は３に記載の蚊の誘引捕獲装置。
【発明の詳細な説明】
【技術分野】
【０００１】本発明は蚊を長期的に誘引し捕獲するための蚊の誘引方法および誘引装置に関する。
【背景技術】
【０００２】  近年、蚊が媒介する感染症は多く報告されており、中でもマラリアは２０１６年には、世界で年間２億１４００万人もの人が発症し約４４万人が死に至った。その９０％がサハラ以南のアフリカで発生し、犠牲者の多くは５歳以下の子供である。アフリカでは電気の供給量が不足しているため、人体に害がなく電気を使用せず蚊を捕獲できる装置の必要性がある。【０００３】  蚊を駆除する方法としては蚊取り線香や防虫剤、殺虫スプレーなどがある。しかしそれらの製品に含まれるピレスロイドは爬虫類や両生類の生物にとっては神経毒となってしまうため、爬虫類や両生類の近くでは使用できないという問題があった。【０００４】  特許文献１には、ピレスロイドを用いることなく炭酸ガスを発生させて蚊をおびき寄せるようにした蚊取り器が開示されている。
【先行技術文献】
【特許文献】
【０００５】
【特許文献１】特開２０１８−３８３１４号公報  蚊取り器
【発明の概要】
【発明が解決しようとする課題】
【０００６】  特許文献１に開示された蚊取り器においては、炭酸ナトリウムなどの炭酸塩を主な成分とする錠剤を水やお湯に溶かすことで二酸化炭素（炭酸ガス）を発生させているため（文献１の段落００４１参照）急激に反応が進んでしまい、長期間二酸化炭素を安定して発生させることができない。
【課題を解決するための手段】
【０００７】  装置の上部に水分と反応し二酸化炭素ガスを発生させる炭酸タブレットと、蚊のメスが好む吉草酸とを水分を含むゼリーを入れ接触させ、二酸化炭素を発生させる。発生した二酸化炭素ガスは時間が経つにつれ装置の外に広がり蚊をおびき寄せる。なお、ゼリーは、水分がゲル化剤で凝固されたものであり、ゼリーに吉草酸が含まれてもよい。【０００８】  装置の下部に、水分と発熱反応を起こす物質と水を入れ反応させて、熱を発生させてもよい。すなわち、装置の下部に熱源を設けてもよい。
【発明の効果】
【０００９】  本発明は次のような効果を発揮できる。【００１０】  水やお湯ではなく水分を含むゼリーを炭酸タブレットと反応させることで、緩やかに反応が起き、持続的に二酸化炭素ガスを安定して発生させることができる。【００１１】  吉草酸をゼリーに含ませることで、蚊を効果的に誘引することができ、さらに吉草酸特有の匂いが人間には気にならない程度に抑えられる。【００１２】  発生した熱を蚊が感知するため、さらに効果的に蚊を誘引することができる。
【図面の簡単な説明】
【００１３】
【図１】本発明の一実施形態に係る部品Ａの説明図であり、（ａ）は斜視図、（ｂ）は底面図、（ｃ）は側面図、（ｄ）は側断面図である。
【図２】本発明の一実施形態に係る部品Ｂの説明図であり、（ａ）は斜視図、（ｂ）は側面図、（ｃ）は平面図である。
【図３】本発明の一実施形態に係る部品Ｃの説明図であり、（ａ）は斜視図、（ｂ）は平面図、（ｃ）側面図、（ｄ）は側断面図である。
【図４】本発明の一実施形態に係る部品Ｄの説明図であり、（ａ）は斜視図、（ｂ）は側面図、（ｃ）は底面図である。
【図５】本発明の一実施形態の係る部品Ｅの説明図であり、（ａ）は斜視図、（ｂ）は側面図、（ｃ）は平面図である。
【図６】上記の部品Ａ〜Ｅを組み立てた際の全体の側面図である。
【図７】本発明の使用時の形態を示す斜視図である。
【図８】タブレットの変形例を示す図であり、（ａ）は第１変形例、（ｂ）は第２変形例を示す。
【発明を実施するための形態】
【００１４】  以下に添付図面を参照にしながら、本発明の実施形態を説明する。
【００１５】（部品Ａ）
図１、図７に示すように、部品Ａは部品Ｂを閉じるための蓋であり、円筒ａ１と円板とから構成されている。
【００１６】（部品Ｂ）
図２、図７に示すように部品Ｂは円筒ｂ２とその底部に設けられた網ｂ１とを備えており、二酸化炭素ガスの発生源である水分と反応し二酸化炭素を発生させるタブレットｂ３と吉草酸を含むゼリーｂ４を入れる部品である。二酸化炭素を発生させるタブレットｂ３は粉状の重曹とクエン酸を混ぜて固めたものなどが考えられる。ゼリーｂ４は水分がゲル化剤で吉草酸とともに凝固されており、吉草酸を含むゼリーの材料は、寒天、ゼラチン、アガー、ペクチン、ガラギーナンなどのゲル化剤が考えられる。反応をさせる際は二酸化炭素を発生させるタブレットｂ３を吉草酸を含むゼリーｂ４の上に乗せるなど常に接触している状態にする。ゼリーｂ４の上面に、タブレットｂ３が嵌まる凹部を設け、装置を多少揺すってもタブレットｂ３がゼリーｂ４から落ちないようにしてもよい。吉草酸を省略してもよい。炭酸タブレットとゼリーは上下逆でもよい。網ｂ１は日本に主に生息するアカイエカ、ヒトスジシマカ、チカイエカの中で最も小さいヒトスジシマカ（体長４．５ｍｍ）が通り抜けられないよう、網目が４．０ｍｍになっている。部品Ｂの上部の段差部に部品Ａが係合される。
なお、各部品Ａ〜Ｅは、互いに段差部によって係合される。また、図８（ａ）に示すように、タブレットｂ３の形状を底面より高さが高くしてもよい。これによって、底面からタブレットｂ３が消耗しても反応が続き、反応時間を長期間にできる。また、図８（ｂ）に示すようにタブレットｂ３の形状を山形にしてもよい。これによって、最初に二酸化炭素ガスが多く発生し、装置下部に溜まるため蚊を効率を良く誘引できる。また、部品Ｂの円筒ｂ２を透明にしてもよい。これにより、タブレットｂ３の減少が外部からわかる。
【００１７】（部品Ｃ）
図３、図７が示すように、部品Ｃは円筒ｃ５の側面に誘引した蚊が装置内部に入る穴ｃ１〜ｃ４が開いている。ｃ１〜ｃ４は円筒ｃ５の側面に等間隔に開いており中心に向かって狭くなっていて、一度装置内に入った蚊が外に出ないようになっている。
【００１８】（部品Ｄ）
図４、図７に示すように、部品Ｄは円筒ｄ２とその内側面に貼られた粘着テープｄ３と円筒ｄ２の底部に設けられた網ｄ１を備えており、装置内に入った蚊を捕獲する部品である。内面には粘着テープｄ３が粘着面を内側にして貼られている。蚊が壁面にとまる習性を利用し、装置内に入った蚊を捕獲できる。網ｄ１は網ｂ１と同じく網目が４．０ｍｍである。部品Ｂの網ｂ１および部品Ｄの網ｄ１の網目を蚊が通り抜けできないサイズとすることで、部品Ｃの穴ｃ１〜ｃ４から内部に入った蚊が部品Ｄ内に閉じ込められ、粘着テープｄ３により適切に捕獲される。また粘着テープｄ３の交換を可能にし、使い捨てにしてもよい。
【００１９】（部品Ｅ）
図５、図７に示すように、部品Ｅは有底円筒状の容器ｅ１であり、水ｅ２と水分と発熱反応を起こす物質ｅ３を入れる部品、すなわち、熱源を収容する部品である。水分と発熱反応を起こす物質ｅ３は、水酸化カルシウム、炭酸カルシウム、塩化バリウム、塩化カルシウム、塩化鉄などが考えられる。水ｅ３の貯蔵部が最下部に位置するので、重心が下方となり安定する。よって、装置の転倒を抑制できる。また、発生した熱が上昇して部品Ｂ内のタブレットｂ３とゼリーｂ４を温めるので反応が適度に促進され、寒い日など反応が鈍い日にはよい。なお、各部品Ａ〜Ｅを透明剤にして、外部から蚊の捕獲状況がわかるようにしてもよい。
【００２０】  以下の構成からなる蚊の誘引装置の作用効果を述べる。
【００２１】  水ではなくゼリーｂ４の水分が炭酸タブレットｂ３と反応するため緩やかに反応し、二酸化炭素ガスを長期間にわたって持続的に安定して発生させることができる。よって、長期間にわたって蚊を捕獲できる。なお、ゼリーｂ４の炭酸タブレットｂ３との接触面（図７では上面）に適宜、切れ込みを形成してもよい。切れ込みの深さや数を調節することで切れ込みから滲み出る水分量を変えてタブレットｂ３との反応を調節できる。
【００２２】  ゼリーｂ４に含まれる吉草酸の臭気が穴ｃ１〜ｃ４から蚊をおびき寄せることができるが、特有の臭いがあり人間に不快感を与える。しかし吉草酸がゼリーｂ４に含まれているため、ゼリーｂ４からの匂いの発散を抑えられ人間に不快感を与えない。
【００２３】  部品Ｅの熱源から発生した熱で装置全体が温められ、装置の外側面から放熱されるので熱を感知した蚊を誘引できる。また、熱源によって発生する上昇気流ｅ４により、蚊が網ｄ１でなく部品Ｄの側面の粘着テープｄ３にとまり適切に捕獲される。すなわち、熱源は蚊を粘着テープｄ３にとまらせるための機能も発揮する。
【産業上の利用可能性】
【００２４】本発明は二酸化炭素、熱を感知する性質を有する蚊の誘引方法および誘引装置に利用できる。
【符号の説明】
【００２５】ａ１  円筒
ａ２  円板
ｂ１  網
ｂ２  円筒
ｂ３  炭酸タブレット
ｂ４  吉草酸を含むゼリー
ｃ１  穴
ｃ２  穴
ｃ３  穴
ｃ４  穴
ｃ５  円筒
ｄ１  網
ｄ２  円筒
ｄ３  粘着テープ
ｅ１  容器
ｅ２  水
ｅ３  水分と発熱反応を起こす物質
ｅ４  上昇気流
【要約】
【課題】蚊をおびき寄せるための二酸化炭素ガスを長期間にわたって安定して発生させることができる蚊の誘引方法および蚊の誘引装置を提供する。
【解決手段】水分と反応し二酸化炭素ガスを発生させるタブレットとゼリーを接触させ、二酸化炭素を発生させ、ゼリーの水分によってタブレットを緩やかに長時間にわたって反応させて蚊をおびき寄せる。
【選択図】図７【図１】
0006808081.tif 000002
【図２】
0006808081.tif 000003
【図３】
0006808081.tif 000004
【図４】
0006808081.tif 000005
【図５】
0006808081.tif 000006
【図６】
0006808081.tif 000007
【図７】
0006808081.tif 000008
【図８】
0006808081.tif 000009